(57)【要約】【課題】ワードローブに収容された衣類の視認を容易に行うとともに、ワードローブ内のハンガーや衣類へのアクセス性を向上させる。【解決手段】ワードローブ２０は、床面Ｆ上に立設され、左右方向Ｄ１に間隔をあけて対向する一対の側板２１と、一対の側板２１同士の間に設けられ、左右方向Ｄ１に延びて、衣類Ｗを掛けるハンガー３０が１以上係止される支持杆２５と、を備え、側板２１に対する支持杆２５の前後方向Ｄ２の位置は、支持杆２５にハンガー３０の幅方向Ｄｗを前後方向Ｄ２に沿わせて係止させた状態で、ハンガー３０の幅方向Ｄｗの一部が、側板２１の前端２１ｆよりも前方に突出するように設定されている。【選択図】図２
2019072331.tif 000002
【特許請求の範囲】
【請求項１】
床面上に立設され、左右方向に間隔をあけて対向する一対の側板と、
一対の前記側板同士の間に設けられ、前記左右方向に延びて、衣類を掛けるハンガーが１以上係止される支持杆と、を備え、
前記側板に対する前記支持杆の前後方向の位置は、前記ハンガーの幅方向を前記前後方向に沿わせて前記ハンガーを前記支持杆に係止させた状態で、前記ハンガーの前記幅方向の一部が、前記側板よりも前方に突出するように設定されているワードローブ。
【請求項２】
前記側板は、前記前後方向の長さ寸法が、前記ハンガーの幅寸法よりも小さい請求項１に記載のワードローブ。
【請求項３】
前記側板は、前記前後方向の長さ寸法が、３５０ｍｍ以下である請求項２に記載のワードローブ。
【請求項４】
前記支持杆は、前記側板の前記前後方向の中央よりも前方に配置されている請求項１から請求項３のいずれか一項に記載のワードローブ。
【請求項５】
前記側板の前端と前記支持杆との前記前後方向の間隔が７５ｍｍ以上１５０ｍｍ以下の範囲に設定されている請求項４に記載のワードローブ。
【請求項６】
前記支持杆は、前記ハンガーにおける前記幅方向の１／３以上１／２未満の範囲が、前記側板よりも前方に突出するよう配置されている請求項１から請求項５のいずれか一項に記載のワードローブ。
【請求項７】
前記支持杆よりも高い位置に、一対の前記側板の間に架設された上部連結部材を備え、
前記上部連結部材は、前記支持杆よりも後方に配置されている請求項１から請求項６のいずれか一項に記載のワードローブ。
【請求項８】
前記支持杆よりも低い位置に、一対の前記側板の間に架設された下部連結部材を備えている請求項１から請求項７のいずれか一項に記載のワードローブ。
【請求項９】
前記支持杆の両端部は、一対の前記側板に連結されている請求項１から請求項８のいずれか一項に記載のワードローブ。
【請求項１０】
箱状のロッカーと、
前記ロッカーに隣り合って配置された請求項１から請求項９のいずれか一項に記載のワードローブと、を備える収納システム。
【請求項１１】
前記ロッカーは、第一方向に沿って複数配列されてロッカー列を構成し、
前記ワードローブは、前記ロッカー列における前記第一方向の少なくとも一方の端部において、前記ロッカー列に隣り合っている請求項１０に記載の収納システム。
【請求項１２】
前記ワードローブの前記側板の前記前後方向の長さ寸法は、前記ロッカーの前記第一方向における幅寸法と同一である請求項１１に記載の収納システム。
【発明の詳細な説明】
【技術分野】
【０００１】
本発明は、ワードローブ及び収納システムに関する。
【背景技術】
【０００２】
各種の衣類（例えば、コートやジャケット等）を収容する什器として、ワードローブが用いられている。ワードローブは、左右方向に間隔をあけて設けられた一対の側板と、一対の側板の間に架設され、左右方向に延びる支持杆（例えば、パイプ等）と、を備えている。
ワードローブでは、衣類を掛けるハンガーを、支持杆に対し、左右方向に複数係止することで、複数の衣類を収容できる。この場合、ハンガーおよびハンガーに掛ける衣類は、その幅方向（肩幅方向）を、ワードローブの奥行き方向（前後方向）に沿わせた状態となる。
【０００３】
ところで、このようなワードローブは、特許文献１等に開示されているように、支持杆が、側板の奥行き方向の中央部に配置され、側板の奥行き方向の寸法は、ハンガーおよびハンガーに掛ける衣類の幅寸法よりも大きく設定されている。これにより、ハンガーおよびハンガーに掛ける衣類は、その幅方向の全体が、ワードローブ内に収容される。
【先行技術文献】
【特許文献】
【０００４】
【特許文献１】特開２０１０−１１６７７２号公報
【発明の概要】
【発明が解決しようとする課題】
【０００５】
しかしながら、特許文献１等に開示されるワードローブにおいては、側板の奥行き方向の寸法が、ハンガーおよびハンガーに掛ける衣類の幅寸法よりも大きいため、利用者は、ワードローブのほぼ正面に位置しないと、ワードローブ内の衣類を視認することができない。これにより、ワードローブに対し、左右方向や斜め前方からでは、ワードローブ内の衣類を視認しにくい。したがって、複数のハンガーに掛けられた衣類の中から目的の衣類を見つけにくい場合がある。また、左右方向や斜め前方からではワードローブ内へのアクセス性が低く、ワードローブから衣類を出し入れしにくい。
【０００６】
そこでなされた本発明の目的は、ワードローブに収容された衣類の視認を容易に行うとともに、ワードローブ内のハンガーや衣類へのアクセス性を向上させることのできるワードローブ及び収納システムを提供することである。
【課題を解決するための手段】
【０００７】
上記目的を達成するために、本発明の一態様に係るワードローブは、床面上に立設され、左右方向に間隔をあけて対向する一対の側板と、一対の前記側板同士の間に設けられ、前記左右方向に延びて、衣類を掛けるハンガーが１以上係止される支持杆と、を備え、前記側板に対する前記支持杆の前後方向の位置は、前記ハンガーの幅方向を前記前後方向に沿わせて前記ハンガーを前記支持杆に係止させた状態で、前記ハンガーの前記幅方向の一部が、前記側板よりも前方に突出するように設定されている。
【０００８】
このような構成によれば、ハンガーの幅方向を前後方向に沿わせてハンガーを支持杆に係止させた状態で、ハンガーの幅方向の一部が側板の前端よりも前方に突出するようにした。これにより、ワードローブに対し、左右方向の側方や、斜め前方からであっても、ワードローブ内のハンガーや、ハンガーに掛けた衣類を視認し易くなる。したがって、例えば、複数のハンガーに掛けられた衣類の中から目的の衣類を見つけ易くなる。また、衣類をワードローブに出し入れする際に、ワードローブの正面からでなくても、衣類やハンガーにアクセスし易くなる。
【０００９】
本発明の一態様に係るワードローブにおいて、前記側板は、前記前後方向の長さ寸法が、前記ハンガーの幅寸法よりも小さくしてもよい。
このように構成することで、ハンガーの幅方向の一部を、側板の前端よりも前方に確実に突出させることができる。
【００１０】
本発明の一態様に係るワードローブにおいて、前記側板は、前記前後方向の長さ寸法が、３５０ｍｍ以下であってもよい。
このように構成することで、一般的なハンガーの幅方向の寸法である４００ｍｍ〜４５０ｍｍよりも、側板の前後方向の長さ寸法が小さくなり、ハンガーの幅方向の一部を、側板よりも前方に確実に突出させることができる。
【００１１】
本発明の一態様に係るワードローブにおいて、前記支持杆は、前記側板の前記前後方向の中央よりも前方に配置されていてもよい。
このように構成することで、ハンガーの幅方向の一部を、側板よりも前方に容易に突出させることができる。
【００１２】
本発明の一態様に係るワードローブにおいて、前記側板の前端と前記支持杆との前記前後方向の間隔が７５ｍｍ以上１５０ｍｍ以下の範囲に設定されていてもよい。
このように構成することで、一般的に幅方向の寸法が４００ｍｍ〜４５０ｍｍであるハンガーを支持杆に係止させた場合、ハンガーの幅方向の一部を、側板よりも前方に容易に突出させることができる。
【００１３】
本発明の一態様に係るワードローブにおいて、前記支持杆は、前記ハンガーにおける前記幅方向の１／３以上１／２未満の範囲が、前記側板よりも前方に突出するよう配置されていてもよい。
このように構成することで、ワードローブに対し、左右方向の側方や、斜め前方からであっても、ワードローブ内のハンガーに掛けた衣類が視認し易くなる。
【００１４】
本発明の一態様に係るワードローブにおいて、前記支持杆よりも高い位置に、一対の前記側板の間に架設された上部連結部材を備え、前記上部連結部材は、前記支持杆よりも後方に配置されていてもよい。
このように構成することで、上部連結部材によって側板同士を連結することで、ワードローブの強度を確保できる。
特に、支持杆よりも高い位置に上部連結部材を備える場合であっても、支持杆の上方が上部連結部材によって覆われることがない。これによって、支持杆に係止されたハンガーに掛けた衣類に、上方からの自然光や照明光が良好に当たり、衣類の視認性が高まる。
【００１５】
本発明の一態様に係るワードローブにおいて、前記支持杆よりも低い位置に、一対の前記側板の間に架設された下部連結部材を備えていてもよい。
このように構成することで、下部連結部材によって側板同士を連結することで、ワードローブの強度を確保できる。
【００１６】
本発明の一態様に係るワードローブにおいて、前記支持杆の両端部は、一対の前記側板に連結されていてもよい。
このように構成することで、支持杆は、側板の前端側に偏って設けられるため、側板の前端側において、一対の側板同士を連結する部材として機能させることもできる。したがって、支持杆よりも後方に上部連結部材や後部連結部材を配置する場合、前方の支持杆と、上部連結部材や後部連結部材と、によって一対の側板同士を前後方向でバランスよく連結することができる。
【００１７】
本発明の一態様に係る収納システムは、箱状のロッカーと、前記ロッカーに隣り合って配置された上記態様のワードローブと、を備える。
【００１８】
このように構成することで、衣類を掛けたハンガーの一部を露出させてワードローブに収納するオープン収納と、ロッカーに利用者毎の物品を収納するクローズド収納とを兼ね備えた収納システムを構築することができる。
【００１９】
本発明の一態様に係る収納システムにおいて、前記ロッカーは、第一方向に沿って複数配列されてロッカー列を構成し、前記ワードローブは、前記ロッカー列における前記第一方向の少なくとも一方の端部において、前記ロッカー列に隣り合っていてもよい。
このように構成することで、複数のロッカーに、利用者毎の物品を個別に収納し、ワードローブに、複数の利用者の衣類をまとめて収納するような利用方法の収納システムを提供することができる。
【００２０】
本発明の一態様に係る収納システムにおいて、前記ワードローブの前記側板の前記前後方向の長さ寸法は、前記ロッカーの前記第一方向における幅寸法と同一であってもよい。
このように構成することで、ワードローブの側板と、ロッカーの幅寸法とが同一であるので、収納システムを、第一方向に直交する第二方向から視たときに、統一感のある良好な体裁を呈することができる。
【発明の効果】
【００２１】
本発明の態様に係るワードローブおよび収納システムによれば、ワードローブに収容された衣類の視認を容易に行うとともに、ワードローブ内のハンガーや衣類へのアクセス性を向上させることが可能となる。
【図面の簡単な説明】
【００２２】
【図１】本発明の実施形態に係る収納システムの全体構成を示す斜視図である。
【図２】上記ワードローブの側面図である。
【発明を実施するための形態】
【００２３】
以下、添付図面を参照して、本発明に係るワードローブおよび収納システムの実施形態を説明する。しかし、本発明は以下の実施形態のみに限定されるものではない。
【００２４】
図１は、本実施形態に係る収納システム１の全体構成を示す斜視図である。
図１に示すように、収納システム１は、例えば更衣室や脱衣所等、複数の利用者が着替え等を行ったり、荷物を保管したりする場所に設置される。但し、収納システム１の設置場所は、上記施設に限られない。
【００２５】
収納システム１は、ロッカー１０と、ロッカー１０に隣り合って配置されたワードローブ２０と、を備える。
ロッカー１０は、箱状をなしている。ロッカー１０は、一方向に開口を有したロッカー本体１１と、上記開口を開閉可能にロッカー本体１１に設けられた扉１２と、を備える。本実施形態において、ロッカー１０は、床面Ｆの接線方向のうち第一方向Ｄａに沿って複数配列されることで、ロッカー列１３を構成している。ロッカー列１３において、第一方向Ｄａで隣り合うロッカー１０同士は、第一方向Ｄａで互いに対向する対向面同士が近接又は当接した状態で配列されている。
【００２６】
本実施形態の収納システム１は、上述したロッカー列１３が床面Ｆの接線方向のうち第一方向Ｄａに直交する第二方向Ｄｂに二列並んでいる。各ロッカー列１３は、各ロッカー１０の背面同士を近接又は当接した状態で配列されている。一のロッカー列１３を構成するロッカー１０は、第二方向Ｄｂにおいて他のロッカー列１３とは反対側を向く方向に扉１２を向けて配置されている。
【００２７】
図２は、上記ワードローブ２０の側面図である。
図１、図２に示すように、ワードローブ２０には、１以上のハンガー３０が吊り下げられた状態で収容される。ハンガー３０は、ハンガー本体３１と、フック部３２と、を有している。ハンガー本体３１は、下方に向かうに従い互いに離間する方向に二股に延在している。ハンガー本体３１は、衣類Ｗの内側に挿入され、衣類Ｗの肩部分を支持する。なお、ハンガー本体３１の一般的な幅寸法Ｌｗ（図示の例では、ハンガー本体３１の前後寸法）は、例えば４００ｍｍ〜４５０ｍｍである。
フック部３２は、ハンガー本体３１の中央部から上方に立設されている。フック部３２は、ワードローブ２０の後述する支持杆２５に吊り下げ可能に構成されている。なお、ハンガー３０の構成は、適宜変更が可能である。
【００２８】
ワードローブ２０は、一対の側板２１と、上部棚板２２と、下部棚板２３と、背板２４と、支持杆２５と、を備えている。
【００２９】
一対の側板２１は、床面Ｆ上に立設され、ワードローブ２０に正対したときの左右方向Ｄ１（第二方向Ｄｂ）に間隔をあけて互いに平行に配置されている。
【００３０】
上部棚板２２は、平板状で、一対の側板２１の上部同士を連結するよう、一対の側板２１の間に架設されている。
下部棚板２３は、上部棚板２２よりも低い位置に配置されている。下部棚板２３は、平板状で、一対の側板２１の下部同士を連結するよう、一対の側板２１の間に架設されている。
【００３１】
背板２４は、一対の側板２１同士を、上部棚板２２および下部棚板２３に対して前後方向Ｄ２（第一方向Ｄａ）の後方で連結する。背板２４は、側板２１と同等の高さになっている。背板２４は、一対の側板２１の後端２１ｒの間を閉塞する。
【００３２】
支持杆２５は、一対の側板２１同士の間に設けられ、左右方向Ｄ１に延びている。支持杆２５は、上部棚板２２よりも低く、下部棚板２３よりも高い位置に配置されている。支持杆２５の両端部は、一対の側板２１に連結されている。
【００３３】
このような支持杆２５には、上述したハンガー３０が、左右方向Ｄ１に間隔をあけて１以上係止される。ハンガー３０は、その幅方向Ｄｗを、ワードローブ２０の前後方向Ｄ２に沿わせた状態で、支持杆２５に係止される。
【００３４】
図２に示すように、このようなワードローブ２０において、ハンガー３０の幅方向Ｄｗを前後方向Ｄ２に沿わせてハンガー３０を支持杆２５に係止させた状態で、ハンガー３０の幅方向Ｄｗの一方の側の一部３０ｓ（本実施形態ではハンガー本体３１の前端部）が、側板２１の前端２１ｆよりも前後方向Ｄ２の前方に突出するよう、支持杆２５の前後方向Ｄ２の位置が設定されている。ここで、支持杆２５は、ハンガー３０における幅方向Ｄｗの１／３以上１／２未満の範囲が、側板２１の前端２１ｆよりも前方に突出するよう配置するのが好ましい。より具体的には、支持杆２５は、ハンガー３０が、１００ｍｍ〜１５０ｍｍ程度、側板２１の前端２１ｆよりも前方に突出するよう配置するのが好ましい。
【００３５】
このため、側板２１は、前後方向Ｄ２の長さ寸法Ｌ１が、ハンガー３０の幅寸法Ｌｗよりも小さく設定されている。具体例を挙げると、側板２１は、前後方向Ｄ２の長さ寸法Ｌ１が３５０ｍｍ以下に設定されている。上述したようにハンガー３０（ハンガー本体３１）の一般的な幅寸法Ｌｗは例えば４００ｍｍ〜４５０ｍｍであるため、側板２１の長さ寸法Ｌ１を３５０ｍｍとした場合、ハンガー３０の幅方向Ｄｗの一部３０ｓが、側板２１の前端２１ｆよりも前方に突出する。
【００３６】
支持杆２５は、側板２１の前後方向Ｄ２の中央２１ｃよりも前方に配置されている。側板２１の前端２１ｆと、支持杆２５（支持杆２５の中心）と、の前後方向Ｄ２の間隔は、７５ｍｍ以上１５０ｍｍ以下の範囲Ｌｃに設定されている。このような位置に支持杆２５を配置すると、一般的な幅寸法Ｌｗ（４００〜４５０ｍｍ）を有するハンガー３０の場合、ハンガー３０の幅方向Ｄｗの一部３０ｓが、側板２１の前端２１ｆよりも前方に突出する。
【００３７】
支持杆２５は、前後方向Ｄ２における背板２４までの寸法Ｌ３が、ハンガー３０の幅寸法Ｌｗの１／２以上となるように配置するのが好ましい。これにより、ハンガー３０およびハンガー３０に掛けた衣類Ｗが、背板２４に干渉するのを抑える。
【００３８】
このような支持杆２５よりも高い位置に配置された前記上部棚板２２は、その前端部２２ｆが、前後方向Ｄ２において、支持杆２５よりも後方に位置するよう配置されている。
ここで、上部棚板２２の前後方向Ｄ２の長さＬ４は、２００ｍｍ以上に設定するのが好ましい。これにより、上部棚板２２上に様々な物品を載置するために有効なスペースが確保される。
【００３９】
図１に示すように、このようなワードローブ２０は、上記ロッカー列１３における第一方向Ｄａの一方の端部に隣り合っている。ワードローブ２０は、背板２４を、各ロッカー列１３における第一方向Ｄａの一方を向く面に近接又は当接させて配置されている。これにより、ワードローブ２０は、その前後方向Ｄ２を第一方向Ｄａに一致させ、左右方向Ｄ１を第二方向Ｄｂに一致させて配置されている。
【００４０】
ここで、ワードローブ２０の側板２１は、その前後方向Ｄ２の長さ寸法Ｌ１が、ロッカー１０の第一方向Ｄａにおける幅寸法Ｌｒと同一となるように設定するのが好ましい。これにより、収納システム１を、第二方向Ｄｂから視たときに、第一方向Ｄａにおいて同一寸法を有した側板２１と、各ロッカー１０とが並ぶことになる。
ワードローブ２０の左右方向Ｄｂの幅寸法Ｌ５は、各ロッカー列１３の第二方向Ｄｂにおける合計幅Ｌｓと同一となるように設定することが好ましい。これにより、一方の側板２１および一方のロッカー列１３における第二方向Ｄｂの一方を向く面同士と、他方の側板２１および他方のロッカー列１３における第二方向Ｄｂの他方を向く面同士と、が面一に配置される。
【００４１】
このような収納システム１は、例えば、各ロッカー１０を、複数の利用者の一人一人が個別に利用し、ワードローブ２０を複数の利用者で共有するような使用形態で利用することができる。
ワードローブ２０は、各利用者の衣類Ｗをハンガー３０に掛け、支持杆２５に係止させることができる。ワードローブ２０においては、支持杆２５にハンガー３０の幅方向Ｄｗを前後方向Ｄ２に沿わせて係止させた状態で、ハンガー３０の幅方向Ｄｗの一部が、側板２１の前端２１ｆよりも前方に突出する。これにより、ワードローブ２０に対し、左右方向Ｄ１の側方や、斜め前方からであっても、利用者は、ワードローブ２０内のハンガー３０に掛けた衣類Ｗの一部を容易に視認することができる。
【００４２】
上述したようなワードローブ２０は、ハンガー３０の幅方向Ｄｗの一部３０ｓが、側板２１の前端２１ｆよりも前方に突出するようにした。これにより、ワードローブ２０に対し、左右方向Ｄ１の側方や、斜め前方からであっても、ワードローブ２０内のハンガー３０に掛けた衣類Ｗを容易に視認することができる。したがって、例えば、利用者は、複数のハンガー３０に掛けられた衣類Ｗの中から目的の衣類Ｗを見つけたり、衣類Ｗの有無を確認したりし易くなる。また、利用者は、衣類Ｗをワードローブ２０に出し入れする際に、ワードローブ２０の正面からでなくても、衣類Ｗやハンガー３０にアクセスし易くなる。
その結果、ワードローブ２０に収容された衣類Ｗの視認を容易に行うとともに、ワードローブ２０内のハンガー３０や衣類Ｗへのアクセス性を向上させることが可能となる。
【００４３】
側板２１は、前後方向Ｄ２の長さ寸法Ｌ１が、ハンガー３０の幅寸法Ｌｗよりも小さいので、ハンガー３０の幅方向Ｄｗの一部３０ｓを、側板２１の前端２１ｆよりも前方に確実に突出させることができる。
【００４４】
側板２１は、前後方向Ｄ２の長さ寸法Ｌ１が、３５０ｍｍ以下である。このように構成することで、一般的なハンガー３０の幅方向Ｄｗの寸法である４００ｍｍ〜４５０ｍｍよりも、側板２１の前後方向Ｄ２の長さ寸法Ｌ１が小さくなり、ハンガー３０の幅方向Ｄｗの一部３０ｓを、側板２１の前端２１ｆよりも前方に確実に突出させることができる。
【００４５】
支持杆２５は、側板２１の前後方向Ｄ２の中央２１ｃよりも前方に配置されている。このように構成することで、ハンガー３０の幅方向Ｄｗの一部３０ｓを、側板２１の前端２１ｆよりも前方に容易に突出させることができる。
【００４６】
側板２１の前端２１ｆと、支持杆２５と、の前後方向Ｄ２の間隔が７５ｍｍ〜１５０ｍｍの範囲Ｌｃに配置されている。このように構成することで、一般的に幅寸法Ｌｗが４００ｍｍ〜４５０ｍｍであるハンガー３０を支持杆２５に係止させた場合、ハンガー３０の幅方向Ｄｗの一部３０ｓを、側板２１の前端２１ｆよりも前方に突出させることができる。
【００４７】
支持杆２５は、ハンガー３０における幅方向Ｄｗの１／３以上１／２未満の範囲が、側板２１の前端２１ｆよりも前方に突出するよう配置されている。このように構成することで、ワードローブ２０に対し、左右方向Ｄ１の側方や、斜め前方からであっても、ワードローブ２０内のハンガー３０に掛けた衣類Ｗが視認し易くなる。
【００４８】
本実施形態では、上部棚板２２、下部棚板２３および背板２４が一対の側板２１の間に架設されているため、ワードローブ２０の強度を確保できる。
特に、支持杆２５よりも高い位置に配置された上部棚板２２が、支持杆２５よりも後方に配置されている。このように構成することで、支持杆２５の鉛直上方が平板状の上部棚板２２によって覆われることがない。これによって、支持杆２５に係止されたハンガー３０に掛けた衣類Ｗに、上方からの自然光や照明光が良好に当たり、衣類Ｗの視認性が高まる。
一対の側板２１の間を連結する連結部材のうち、上部棚板２２および下部棚板２３が物品を載置可能な棚板としての機能を有しているため、ワードローブ２０における物品の収納性を向上させることができる。
【００４９】
支持杆２５の両端部は、一対の側板２１に連結されている。このように構成することで、支持杆２５が、一対の側板２１同士を連結する補強要素としても機能する。支持杆２５は、側板２１の前端２１ｆ側に偏って設けられるため、側板２１の前端２１ｆ側において、一対の側板２１同士を連結する部材として機能させることもできる。したがって、側板２１の後方側に配置された上部棚板２２や背板２４と、側板２１の前方側に配置された支持杆２５と、で一対の側板２１同士を前後方向Ｄ２でバランスよく連結することができる。
【００５０】
上述したような収納システム１は、箱状のロッカー１０と、ロッカー１０に隣り合って配置されたワードローブ２０と、を備える。
このように構成することで、衣類Ｗを掛けたハンガー３０の一部３０ｓを露出させてワードローブ２０に収納するオープン収納と、ロッカー１０内に利用者毎の物品を収納するクローズ収納とを兼ね備えた収納システム１を構築することができる。
また、ワードローブ２０は、ハンガー３０の幅方向Ｄｗの一部３０ｓが、側板２１の前端２１ｆよりも前方に突出しているので、収容された衣類Ｗの視認を容易に行うとともに、ワードローブ２０内のハンガー３０や衣類Ｗへのアクセス性を向上させることが可能となる。
【００５１】
ワードローブ２０は、ロッカー列１３における第一方向Ｄａの一方の端部に隣り合っている。このように構成することで、例えば、複数のロッカー１０に、利用者毎の物品を個別に収納し、ワードローブ２０に、複数の利用者の衣類Ｗをまとめて収納するような利用形態の収納システム１を提供することができる。
【００５２】
ワードローブ２０の側板２１の前後方向Ｄ２の長さ寸法Ｌ１は、ロッカー１０の第一方向Ｄａにおける幅寸法Ｌｒと同一である。このように構成することで、収納システム１を、第一方向Ｄａに直交する第二方向Ｄｂから視たときに、統一感のある良好な体裁を呈することができる。
【００５３】
（その他の実施形態）
なお、本発明のワードローブおよび収納システムは、図面を参照して説明した上述の実施形態に限定されるものではなく、その技術的範囲において様々な変形例が考えられる。
例えば、一対の側板２１同士を連結する連結部材として、上部棚板２２、下部棚板２３、背板２４を備えるようにしたが、これらのうちの少なくとも一つのみを備えるようにしてもよい。連結部材は、板状に限らず、棒状、パイプ状等であってもよい。
【００５４】
上記実施形態の収納システムにおいて、ワードローブ２０を、ロッカー列１３における第一方向Ｄａの一方の側の端部に隣り合うように配置したが、第一方向Ｄａの両方の端部にそれぞれ配置してもよい。
さらに、上記実施形態のワードローブ２０は、ロッカー１０と組み合わせずに、他の什器と組み合わせて配置してもよいし、ワードローブ２０を単体で設置してもよい。
上記以外にも、本発明の主旨を逸脱しない限り、上記実施の形態で挙げた構成を取捨選択したり、他の構成に適宜変更したりすることが可能である。
【符号の説明】
【００５５】
１  収納システム
１０  ロッカー
１３  ロッカー列
２０  ワードローブ
２１  側板
２１ｃ  中央
２１ｆ  前端
２２  上部棚板（上部連結部材）
２３  下部棚板（下部連結部材）
２５  支持杆
３０  ハンガー
３０ｓ  一部
Ｄ１  左右方向
Ｄ２  前後方向
Ｄａ  第一方向
Ｄｂ  第二方向
Ｄｗ  幅方向
Ｆ  床面
Ｌ１  側板の前後方向の長さ寸法
Ｌｒ  ロッカーの第一方向における幅寸法
Ｌｗ  ハンガーの幅寸法
Ｗ  衣類
【図１】
2019072331.tif 000003
【図２】
2019072331.tif 000004